(57)【要約】【課題】画像読取装置において原稿の両面の画像を読み取る機能を備えつつ部品点数およびコストを低減できること。【解決手段】同期信号出力部８４１は、原稿が搬送路における予め定められた第１位置と第２位置とに亘る状態で移動しているときに、第１同期信号Ｇｓ１と第２同期信号Ｇｓ２とを交互に出力する。原稿の両面各々の画像を読み取る第１イメージセンサー１５ａおよび第２イメージセンサー１３ｂは、第１同期信号Ｇｓ１および第２同期信号Ｇｓ２各々に同期して画像信号を出力する。ＡＦＥ８８は、交互に出力される画像信号Ｉａ１，Ｉａ２に対して順次予め定められた信号処理を施す。【選択図】図４
2016100823.tif 000002
【特許請求の範囲】
【請求項１】
原稿を予め定められた原稿搬送路に沿って搬送する原稿搬送部と、
前記原稿の両面の画像を読み取る両面モードが選択されている場合に、前記原稿が前記原稿搬送路における予め定められた第１位置と第２位置とに亘る状態で移動しているときに第１同期信号と第２同期信号とを交互に出力する同期信号出力部と、
前記第１位置において前記第１同期信号に同期して前記原稿の第１面の画像を読み取るとともに読み取り画像に対応する第１画像信号を出力する第１イメージセンサーと、
前記第２位置において前記第２同期信号に同期して前記原稿の第２面の画像を読み取るとともに読み取り画像に対応する第２画像信号を出力する第２イメージセンサーと、
前記第１イメージセンサーおよび前記第２イメージセンサーから交互に出力される前記第１画像信号および前記第２画像信号に対して順次予め定められた信号処理を施す画像信号処理部と、を備える画像読取装置。
【請求項２】
前記原稿搬送部は、前記原稿の片面のみの画像を読み取る片面モードが選択されている場合よりも前記両面モードが選択されている場合の方が低速で前記原稿を搬送する、請求項１に記載の画像読取装置。
【請求項３】
前記第１イメージセンサーおよび前記第２イメージセンサーの各々は、前記第１同期信号および前記第２同期信号の各々に同期して、前記原稿の搬送方向に直交する主走査方向に沿う１ライン分ずつ前記原稿の画像を読み取る、請求項１または請求項２に記載の画像読取装置。
【請求項４】
前記第１イメージセンサーおよび前記第２イメージセンサーの各々は、前記第１同期信号および前記第２同期信号の各々に同期して、前記１ライン分ずつ、かつ、予め定められた３色のうちの１色ずつ前記原稿の画像を読み取る、請求項３に記載の画像読取装置。
【請求項５】
前記画像信号処理部による前記信号処理は、アナログの前記第１画像信号および前記第２画像信号各々をデジタル画像データへ変換する処理を含む、請求項１から請求項４のいずれか１項に記載の画像読取装置。
【請求項６】
請求項１から請求項５のいずれか１項に記載の画像読取装置を備える画像形成装置。
【請求項７】
予め定められた原稿搬送路に沿って搬送される原稿の両面の画像を読み取る画像読取方法であって、
前記原稿が前記原稿搬送路における予め定められた第１位置と第２位置とに亘る状態で移動しているときに、同期信号出力部が第１同期信号と第２同期信号とを交互に出力する工程と、
第１イメージセンサーが、前記第１位置において前記原稿の第１面の画像を読み取るとともに読み取り画像に対応する第１画像信号を出力する工程と、
第２イメージセンサーが、前記第２位置において前記第２同期信号に同期して前記原稿の第２面の画像を読み取るとともに読み取り画像に対応する第２画像信号を出力する工程と、
画像信号処理部が、前記第１イメージセンサーおよび前記第２イメージセンサーから交互に出力される前記第１画像信号および前記第２画像信号に対して順次予め定められた信号処理を施す工程と、を含む画像読取方法。
【発明の詳細な説明】
【技術分野】
【０００１】
本発明は、画像読取装置、画像形成装置および画像読取方法に関する。
【背景技術】
【０００２】
一般に、ＡＤＦ（Automatic Document Feeder）と２つのイメージセンサーとを備える画像読取装置が知られている。前記ＡＤＦは、原稿を予め定められた原稿搬送路に沿って搬送する。また、前記原稿の両面の画像を読み取る両面モードが選択されている場合に、２つの前記イメージセンサー各々は、前記原稿搬送路を移動中の前記原稿の両面各々の画像を読み取るとともに読み取り画像に対応する画像信号を出力する。
【０００３】
また、アナログの前記画像信号は、ＡＦＥ（Analog Front End）などの信号変換回路によってデジタル画像データへ変換される。さらに、画像処理部が前記デジタル画像データに対して各種の画像処理を施す。
【０００４】
また、前記画像読取装置が、前記原稿の両面各々の画像を読み取るための２つのＣＩＳ（Contact Image Sensor）を備えることも知られている（例えば、特許文献１参照）。この場合、前記信号変換回路が前記ＣＩＳごとに設けられる。
【先行技術文献】
【特許文献】
【０００５】
【特許文献１】特開２００７−８２０３３号公報
【発明の概要】
【発明が解決しようとする課題】
【０００６】
ところで、前記画像読取装置において、前記原稿の両面の画像を読み取る機能を備えつつ部品点数およびコストを低減することが求められている。
【０００７】
本発明の目的は、原稿の両面の画像を読み取る機能を備えつつ部品点数およびコストを低減できる画像読取装置、画像形成装置および画像読取方法を提供することにある。
【課題を解決するための手段】
【０００８】
本発明の一の局面に係る画像読取装置は、原稿搬送部と、同期信号出力部と、第１イメージセンサーと、第２イメージセンサーと、画像信号処理部とを備える。前記原稿搬送部は、原稿を予め定められた原稿搬送路に沿って搬送する。前記同期信号出力部は、前記原稿の両面の画像を読み取る両面モードが選択されている場合に、前記原稿が前記原稿搬送路における予め定められた第１位置と第２位置とに亘る状態で移動しているときに第１同期信号と第２同期信号とを交互に出力する。前記第１イメージセンサーは、前記第１位置において前記第１同期信号に同期して前記原稿の第１面の画像を読み取るとともに読み取り画像に対応する第１画像信号を出力するセンサーである。前記第２イメージセンサーは、前記第２位置において前記第２同期信号に同期して前記原稿の第２面の画像を読み取るとともに読み取り画像に対応する第２画像信号を出力するセンサーである。前記画像信号処理部は、前記第１イメージセンサーおよび前記第２イメージセンサーから交互に出力される前記第１画像信号および前記第２画像信号に対して順次予め定められた信号処理を施す。
【０００９】
本発明の他の局面に係る画像形成装置は、本発明の一の局面に係る画像読取装置を備える画像形成装置である。
【００１０】
本発明の他の局面に係る画像読取方法は、予め定められた原稿搬送路に沿って搬送される原稿の両面の画像を読み取る画像読取方法である。本方法は、以下に示される各工程を含む。第１工程は、前記原稿が前記原稿搬送路における予め定められた第１位置と第２位置とに亘る状態で移動しているときに、同期信号出力部が第１同期信号と第２同期信号とを交互に出力する工程である。第２工程は、第１イメージセンサーが、前記第１位置において前記原稿の第１面の画像を読み取るとともに読み取り画像に対応する第１画像信号を出力する工程である。第３工程は、第２イメージセンサーが、前記第２位置において前記第２同期信号に同期して前記原稿の第２面の画像を読み取るとともに読み取り画像に対応する第２画像信号を出力する工程である。第４工程は、画像信号処理部が、前記第１イメージセンサーおよび前記第２イメージセンサーから交互に出力される前記第１画像信号および前記第２画像信号に対して順次予め定められた信号処理を施す工程である。
【発明の効果】
【００１１】
本発明によれば、原稿の両面の画像を読み取る機能を備えつつ部品点数およびコストを低減できる画像読取装置、画像形成装置および画像読取方法を提供することが可能になる。
【図面の簡単な説明】
【００１２】
【図１】図１は、本発明の実施形態に係る画像読取装置を含む画像形成装置の構成図である。
【図２】図２は、本発明の実施形態に係る画像読取装置におけるＡＤＦの部分の構成図である。
【図３】図３は、本発明の実施形態に係る画像読取装置におけるイメージセンサーの部分の構成図である。
【図４】図４は、本発明の実施形態に係る画像読取装置を含む画像形成装置における制御関連機器のブロック図である。
【図５】図５は、本発明の実施形態に係る画像読取装置における搬送原稿読取処理の手順の一例を示すフローチャートである。
【図６】図６は、本発明の実施形態に係る画像読取装置の搬送原稿読取処理における第１段階の各種信号の変化を示すタイムチャートである。
【図７】図７は、本発明の実施形態に係る画像読取装置の搬送原稿読取処理における第２段階の各種信号の変化を示すタイムチャートである。
【図８】図８は、本発明の実施形態に係る画像読取装置の搬送原稿読取処理における第３段階の各種信号の変化を示すタイムチャートである。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［装置の構成］
まず、図１〜４を参照しつつ、実施形態に係る画像読取装置１およびそれを含む画像形成装置１０の構成について説明する。画像形成装置１０は、本体部２および画像読取装置１を備える。また、画像形成装置１０は、操作表示部８０および本体部２の各機器および画像読取装置１を制御する制御部８も備える。
【００１５】
例えば、画像形成装置１０は、複写機、複写機の機能を有するプリンターもしくはファクシミリ、または画像読取機能を含む複数の画像処理機能を備える複合機などである。
【００１６】
＜画像読取装置１＞
図１，２が示すように、画像読取装置１は、原稿走査ユニット１１および原稿台カバー１２を備える。原稿台カバー１２は、原稿走査ユニット１１に対して回動可能に支持されている。原稿走査ユニット１１は透明の原稿台１６を含み、原稿台カバー１２は、原稿台１６上を覆う閉位置と原稿台１６上を解放する開位置との間で回動可能である。
【００１７】
原稿台１６は、画像の読み取り対象物である原稿９０が載置される部分である。一般に、原稿台１６はプラテンガラスと称される。
【００１８】
原稿走査ユニット１１は、さらに第１イメージセンサー１３ａおよび走査機構１１０などを備える。以下の説明において、水平面内における一の方向およびそれに直交する方向のことを、それぞれ主走査方向Ｄ１および副走査方向Ｄ２と称する。
【００１９】
第１イメージセンサー１３ａは、原稿９０における主走査方向Ｄ１に沿う１ライン分の画像を読み取るとともに読み取り画像に対応する第１画像信号Ｉａ１を出力するセンサーである。走査機構１１０は、第１イメージセンサー１３ａを原稿台１６に近接する位置で副走査方向Ｄ２に沿って往復移動させる機構である。
【００２０】
第１イメージセンサー１３ａは、副走査方向Ｄ２に沿って移動することによって原稿台１６に載置された原稿９０の画像を読み取ることができる。
【００２１】
原稿台カバー１２には、ＡＤＦ１２０が組み込まれている。ＡＤＦ１２０は、原稿供給トレイ１２１、原稿送出機構１２２、原稿搬送機構１２３および原稿排出トレイ１２４を備える。原稿送出機構１２２は、原稿供給トレイ１２１にセットされた原稿９０を１枚ずつ原稿搬送路Ｒ０へ送り出す。
【００２２】
原稿搬送路Ｒ０は、原稿台１６の一部である第１コンタクト部１６ａに沿う第１位置Ｐ１と、原稿台カバー１２内の第２位置Ｐ２とを通る予め定められた経路に沿って形成されている。
【００２３】
また、透明の第２コンタクト部１６ｂが、第２位置Ｐ２に沿う状態で固定されている。走査機構１１０は、第１イメージセンサー１３ａを第１位置Ｐ１に対向する位置に保持することができる。第１イメージセンサー１３ａは、透明の第１コンタクト部１６ａを介して第１位置Ｐ１に対向する状態で保持される。
【００２４】
原稿搬送機構１２３は、原稿送出機構１２２から送り出された原稿９０を原稿搬送路Ｒ０に沿って搬送し、さらに原稿排出トレイ１２４へ排出する機構である。原稿搬送機構１２３は、原稿９０を挟み込んで回転するローラー対およびそのローラー対における一方のローラーを回転駆動するモーターなどを備える。原稿搬送機構１２３は、原稿搬送部の一例である。
【００２５】
なお、主走査方向Ｄ１は、原稿搬送路Ｒ０における原稿９０の搬送方向に直交する方向である。以下の説明において、原稿搬送路Ｒ０における原稿９０の搬送方向の上流側および下流側のことを、それぞれ搬送上流側および搬送下流側と称する。
【００２６】
図１，２が示す例では、原稿搬送路Ｒ０において、第１位置Ｐ１は第２位置Ｐ２に対して前記搬送下流側に位置する。換言すれば、第２位置Ｐ２は第１位置Ｐ１に対して前記搬送上流側に位置する。しかしながら、第２位置Ｐ２が第１位置Ｐ１に対して前記原稿下流側に位置することも考えられる。
【００２７】
ＡＤＦ１２０は、原稿台カバー１２が前記閉位置に存在し、かつ、第１イメージセンサー１３ａが第１位置Ｐ１に対向する状態で動作する。
【００２８】
また、原稿台カバー１２内には、第２イメージセンサー１３ｂが設けられている。第２イメージセンサー１３ｂは、第１イメージセンサー１３ａと同じ種類のセンサーである。
【００２９】
第２イメージセンサー１３ｂは、原稿搬送路Ｒ０における第２位置Ｐ２に対向する位置に固定されている。第２イメージセンサー１３ｂは、透明の第２コンタクト部１６ｂを介して第２位置Ｐ２に対向する状態で固定されている。
【００３０】
第１イメージセンサー１３ａは、第１位置Ｐ１において移動中の原稿９０の第１面の画像を読み取るとともに読み取り画像に対応する第１画像信号Ｉａ１を出力する。一方、第２イメージセンサー１３ｂは、第２位置Ｐ２において移動中の原稿９０の第２面の画像を読み取るとともに読み取り画像に対応する第２画像信号Ｉａ２を出力する。第１画像信号Ｉａ１および第２画像信号Ｉａ２はアナログ信号である。
【００３１】
本実施形態において、第１イメージセンサー１３ａおよび第２イメージセンサー１３ｂはＣＩＳである。図３が示すように、前記ＣＩＳは、棒状の発光部１３１と棒状のレンズ１３２と光電変換素子アレイ１３３とを備える。発光部１３１は、赤発光部１３１Ｒ、緑発光部１３１Ｇおよび青発光部１３１Ｂを含む。発光部１３１およびレンズ１３２は、主走査方向Ｄ１に沿う棒状に形成されている。
【００３２】
発光部１３１は、原稿搬送路Ｒ０を移動する原稿９０に向けてシート状の光を照射する。例えば、発光部１３１が、主走査方向Ｄ１に沿って配列された複数の発光ダイオードを含むＬＥＤアレイであることが考えられる。また、発光部１３１が、１つ又は複数の光源と、その光源の出射光をシート状の光に変換するシリンドリカルレンズなどの光学系とを含むことが考えられる。
【００３３】
第１イメージセンサー１３ａの発光部１３１は、第１位置Ｐ１において第１コンタクト部１６ａを通じて原稿９０に光を照射する。第２イメージセンサー１３ｂの発光部１３１は、第２位置Ｐ２において第２コンタクト部１６ｂを通じて原稿９０に光を照射する。
【００３４】
レンズ１３２は、原稿９０における主走査方向Ｄ１に沿う線状領域からの放出光を光電変換素子アレイ１３３の受光部へ集光する。
【００３５】
光電変換素子アレイ１３３は、主走査方向Ｄ１に沿って並ぶ複数の光電変換素子を含む。一般に、前記光電変換素子はＣＭＯＳイメージセンサーである。光電変換素子アレイ１３３における前記光電変換素子各々は、前記線状領域における各画素からの放出光の光量を検出する。光電変換素子アレイ１３３は、各画素の光量の検出信号を前記線状領域の画像信号として出力する。
【００３６】
光電変換素子アレイ１３３は、搬送中の原稿９０における前記線状領域からの放出光の光量を順次検出することにより、主走査方向Ｄ１に沿う１ライン分ずつ原稿９０の画像を読み取る。
【００３７】
光電変換素子アレイ１３３の検出光量は、原稿９０の画像濃度の指標値である。光電変換素子アレイ１３３の検出光量が小さいほど、原稿９０の画像濃度が大きいことを意味する。
【００３８】
原稿９０の画像を読み取る工程において、赤発光部１３１Ｒ、緑発光部１３１Ｇおよび青発光部１３１Ｂの各々が順番に点灯し、赤色光、緑色光および青色光が順番に原稿９０に照射される。これにより、光電変換素子アレイ１３３は、原稿９０における赤色画像、緑色画像および青色画像の各々の濃度を表す３つの第１画像信号Ｉａ１を順次出力する。これにより、原稿９０の画像をカラー画像として読み取ることが可能である。
【００３９】
また、原稿９０の画像がモノクロ画像として読み取られる場合、３色の画像から前記モノクロ画像が合成される。なお、原稿９０の画像がモノクロ画像として読み取られる場合、赤発光部１３１Ｒ、緑発光部１３１Ｇおよび青発光部１３１Ｂが同時に点灯し、白色光が原稿９０に照射されることも考えられる。この場合、光電変換素子アレイ１３３は、モノクロ画像の濃度を表す第１画像信号Ｉａ１を出力する。
【００４０】
原稿搬送路Ｒ０の第１位置Ｐ１の両側に第１コンタクト部１６ａと第１色基準部１４ａとが対向して配置されている。第１イメージセンサー１３ａは、透明の第１コンタクト部１６ａを介して第１色基準部１４ａと対向している。同様に、原稿搬送路Ｒ０の第２位置Ｐ２の両側に第２コンタクト部１６ｂと第２色基準部１４ｂとが対向して配置されている。第２イメージセンサー１３ｂは、透明の第２コンタクト部１６ｂを介して第２色基準部１４ｂと対向している。
【００４１】
第１色基準部１４ａにおける第１イメージセンサー１３ａに対向する面は、光の反射率の高い一様な基準色の面である。同様に、第２色基準部１４ｂにおける第２イメージセンサー１３ｂに対向する面も、前記基準色の面である。一般に、前記基準色は白色である。前記基準色が薄い黄色系の色などであることも考えられる。
【００４２】
画像読取装置１は、予め定められたタイミングでイメージセンサー調整工程を実行する。前記イメージセンサー調整工程において、第１イメージセンサー１３ａは、原稿９０が第１位置Ｐ１に存在しないときに作動する。さらに、第１イメージセンサー１３ａの出力信号と予め設定された基準信号との比較により、第１イメージセンサー１３ａの受光量検出ゲインが自動調整される。
【００４３】
同様に、前記イメージセンサー調整工程において、第２イメージセンサー１３ｂは、原稿９０が第２位置Ｐ２に存在しないときに作動する。さらに、第２イメージセンサー１３ｂの出力信号と前記基準信号との比較により、第２イメージセンサー１３ｂの受光量検出ゲインが自動調整される。
【００４４】
画像読取装置１は、原稿搬送路Ｒ０を移動中の原稿９０が第１位置Ｐ１および第２位置Ｐ２の各々に存在するか否かを検出する原稿センサー１５ａ，１５ｂをさらに備える。本実施形態における画像読取装置１は、第１原稿センサー１５ａおよび第２原稿センサー１５ｂを備える。
【００４５】
第１原稿センサー１５ａは、原稿９０が原稿搬送路Ｒ０における第１位置Ｐ１に対して前記搬送上流側の予め定められた位置に存在するか否かを検知するセンサーである。また、第２原稿センサー１５ｂは、原稿９０が原稿搬送路Ｒ０における第２位置Ｐ２に対して前記搬送上流側の予め定められた位置に存在するか否かを検知するセンサーである。
【００４６】
例えば、第１原稿センサー１５ａおよび第２原稿センサー１５ｂが、反射式のフォトセンサー、透過式のフォトセンサーまたは接触式のマイクロスイッチなどであることが考えられる。
【００４７】
原稿搬送路Ｒ０を移動中の原稿９０の先端が第１位置Ｐ１に到達した時点は、第１原稿センサー１５ａの検知信号が非アクティブ状態からアクティブ状態へ変化してから予め設定された第１設定時間が経過した時点である。また、原稿９０の後端が第１位置Ｐ１を通過した時点は、第１原稿センサー１５ａの検知信号がアクティブ状態から非アクティブ状態へ変化してから前記第１設定時間が経過した時点である。前記第１設定時間は、第１原稿センサー１５ａの位置から第１位置Ｐ１までの経路長と原稿９０の搬送速度とに応じて予め設定される。
【００４８】
同様に、原稿９０の先端が第２位置Ｐ２に到達した時点は、第２原稿センサー１５ｂの検知信号が非アクティブ状態からアクティブ状態へ変化してから予め設定された第２設定時間が経過した時点である。また、原稿９０の後端が第２位置Ｐ２を通過した時点は、第２原稿センサー１５ｂの検知信号がアクティブ状態から非アクティブ状態へ変化してから前記第２設定時間が経過した時点である。前記第２設定時間は、第２原稿センサー１５ｂの位置から第２位置Ｐ２までの経路長と原稿９０の搬送速度とに応じて予め設定される。
【００４９】
従って、本実施形態において、原稿９０の先端が原稿搬送路Ｒ０におけ第２位置Ｐ２に到達してから第１位置Ｐ１に到達するまでの第１期間は以下に示される期間である。即ち、前記第１期間は、第２原稿センサー１５ｂの検知信号が前記アクティブ状態へ変化してから前記第２設定時間が経過した第１時点から、第１原稿センサー１５ａの検知信号が前記アクティブ状態へ変化してから前記第１設定時間が経過した第２時点までの期間である。
【００５０】
また、本実施形態において、原稿９０が原稿搬送路Ｒ０における第１位置Ｐ１と第２位置Ｐ２とに亘る状態で移動している第２期間は以下に示される期間である。即ち、前記第２期間は、前記第２時点から、第２原稿センサー１５ｂの検知信号が前記非アクティブ状態へ変化してから前記第２設定時間が経過した第３時点までの期間である。
【００５１】
また、本実施形態において、原稿９０の後端が原稿搬送路Ｒ０における第２位置Ｐ２を通過してから第１位置Ｐ１を通過するまでの第３期間は以下に示される期間である。即ち、前記第３期間は、前記第３時点から、第１原稿センサー１５ａの検知信号が前記非アクティブ状態へ変化してから前記第１設定時間が経過した第４時点までの期間である。
【００５２】
＜画像形成装置１０の本体部＞
画像形成装置１０の本体部２は、第１イメージセンサー１３ａおよび第２イメージセンサー１３ｂの各々から出力される画像信号に応じた画像を記録シート９に形成する機器を含む。記録シート９は、紙、コート紙、ハガキ、封筒、およびＯＨＰシートなどのシート状の画像形成媒体である。
【００５３】
画像形成装置１０の本体部２は、シート供給部３０、シート搬送部３、画像形成部４、光走査部５および定着部６などを備える。図１が示す画像形成装置１０は、電子写真方式の画像形成装置である。なお、画像形成装置１０がインクジェット方式などの他の方式の画像形成装置であることも考えられる。
【００５４】
シート供給部３０は、複数の記録シート９を重ねて載置可能に構成されている。シート搬送部３は、シート送出機構３１およびシート搬送機構３２を備える。
【００５５】
シート送出機構３１は、記録シート９に接して回転するローラーを備え、記録シート９をシート供給部３０からシート搬送路３００へ向けて送り出す。シート搬送機構３２は、記録シート９をシート搬送路３００に沿って搬送する。これにより、記録シート９は、画像形成部４および定着部６を通過した後にシート搬送路３００の排出口からシート排出トレイ１０１上へ排出される。
【００５６】
画像形成部４は、ドラム状の感光体４１、帯電装置４２、現像装置４３、転写装置４５およびクリーニング装置４７などを備える。感光体４１は、現像剤の像を担持する像担持体の一例である。
【００５７】
感光体４１が回転し、帯電装置４２が感光体４１の表面を一様に帯電させる。さらに、光走査部５がレーザー光を走査することにより帯電した感光体４１の表面に静電潜像を書き込む。さらに、現像装置４３が感光体４１に前記現像剤を供給することにより、前記静電潜像を前記現像剤の像へ現像する。なお、前記現像剤は、不図示の現像剤補給部から現像装置４３へ供給される。
【００５８】
さらに、転写装置４５が、感光体４１と転写装置４５との間を移動中の記録シート９に感光体４１表面の前記現像剤の像を転写する。また、クリーニング装置４７が感光体４１表面に残存する前記現像剤を除去する。
【００５９】
定着部６は、ヒーターを内包する加熱ローラー６１と加圧ローラー６２との間に画像が形成された記録シート９を挟み込みつつ後工程へ送り出す。これにより、定着部６は、記録シート９上の前記現像剤を加熱し、記録シート９上に画像を定着させる。
【００６０】
操作表示部８０は、例えばタッチパネルおよび操作ボタンなどを含む操作入力部であるとともに、液晶表示パネルおよび通知ランプなどを含む表示部でもある。
【００６１】
制御部８は、操作表示部８０を通じて入力される入力情報および各種センサーの検出結果に基づいて、画像形成装置１０が備える各種の電気機器を制御する。さらに、制御部８は、第１イメージセンサー１３ａおよび第２イメージセンサー１３ｂの各々から出力される画像信号に対する信号処理および画像処理も実行する。
【００６２】
例えば、図４が示すように、制御部８は、ＭＰＵ（Micro Processor Unit）８１、記憶部８２、ＡＤＦ制御部８３、イメージセンサー制御部８４、画像処理部８５、ＡＦＥ８８および信号インターフェイス８９などを備える。さらに、制御部８は、本体部２側の制御機能を実現するレーザー制御部８６も備える。
【００６３】
ＭＰＵ８１は、各種の演算処理を実行するプロセッサーである。記憶部８２は、ＭＰＵ８１に各種の処理を実行させるためのプログラムＰｒ１，Ｐｒ２およびその他の情報が予め記憶される不揮発性の情報記憶媒体である。記憶部８２は、ＭＰＵ８１による各種情報の読み書きが可能な情報記憶媒体である。
【００６４】
制御部８は、ＭＰＵ８１が記憶部８２に予め記憶された各種のプログラムＰｒ１，Ｐｒ２実行することにより画像形成装置１０を統括的に制御する。
【００６５】
以下の説明において、画像読取装置１が実行する処理のうち、原稿搬送路Ｒ０を移動中の原稿９０の画像を読み取る処理のことを搬送原稿読取処理と称する。また、前記搬送原稿読取処理において、原稿９０の前記第１面の画像のみを読み取る動作モードのことを片面モード、原稿９０の両面の画像を読み取る動作モードのことを両面モードと称する。
【００６６】
ＭＰＵ８１は、操作表示部８０に対する予め定められた選択操作に従って前記片面モードおよび前記両面モードの一方を選択する。ＭＰＵ８１は、モード選択プログラムＰｒ１を実行することにより、前記動作モードを選択する処理を実行する。
【００６７】
ＡＤＦ制御部８３は、原稿送出機構１２２および原稿搬送機構１２３を制御する。不図示のセンサーが原稿供給トレイ１２１に原稿９０がセットされていることを検知している状態で、操作表示部８０に対して予め定められた開始操作がなされると、ＡＤＦ制御部８３は、原稿送出機構１２２および原稿搬送機構１２３を動作させる。これにより、原稿９０が原稿搬送路Ｒ０に沿って搬送される。
【００６８】
イメージセンサー制御部８４は、第１イメージセンサー１３ａおよび第２イメージセンサー１３ｂの動作タイミングを制御する。イメージセンサー制御部８４は、同期信号出力部８４１および選択信号出力部８４２を含む。
【００６９】
同期信号出力部８４１は、第１イメージセンサー１３ａに対して第１同期信号Ｇｓ１を出力する機能と、第２イメージセンサー１３ｂに対して第２同期信号Ｇｓ２を出力する機能とを備える。
【００７０】
第１同期信号Ｇｓ１は、第１イメージセンサー１３ａに対して原稿９０における１ライン分の１色の画像の読取処理を実行するタイミングを指示する信号である。第１イメージセンサー１３ａは、第１同期信号Ｇｓ１に同期して、原稿９０の前記第１面における主走査方向Ｄ１に沿う１ライン分の画像を読み取るとともに読み取り画像に対応する第１画像信号Ｉａ１を出力する。
【００７１】
第２同期信号Ｇｓ２は、第２イメージセンサー１３ｂに対して原稿９０における１ライン分の１色の画像の読取処理を実行するタイミングを指示する信号である。第２イメージセンサー１３ｂは、第２同期信号Ｇｓ２に同期して、原稿９０の前記第２面における主走査方向Ｄ１に沿う１ライン分の画像を読み取るとともに読み取り画像に対応する第２画像信号Ｉａ２を出力する。なお、第１同期信号Ｇｓ１および第２同期信号Ｇｓ２がゲート信号と称される場合もある。
【００７２】
同期信号出力部８４１は、前記片面モードが選択されている場合に予め定められた周期で第１同期信号Ｇｓ１のみを出力し、前記両面モードが選択されている場合に予め定められた周期で第１同期信号Ｇｓ１および第２同期信号Ｇｓ２の両方を出力する。
【００７３】
ＡＦＥ８８は、第１イメージセンサー１３ａおよび第２イメージセンサー１３ｂの各々から出力される第１画像信号Ｉａ１および第２画像信号Ｉａ２に対して予め定められた信号処理を施す回路である。ＡＦＥ８８による前記信号処理は、第１画像信号Ｉａ１および第２画像信号Ｉａ２各々を増幅する信号増幅処理と、アナログの第１画像信号Ｉａ１および第２画像信号Ｉａ２各々をデジタル画像データＩｄｘへ変換するＡ／Ｄ変換処理とを含む。さらに、ＡＦＥ８８による前記信号処理が、第１画像信号Ｉａ１および第２画像信号Ｉａ２各々のレベルをシフトさせるレベルシフト処理などを含むことも考えられる。なお、ＡＦＥ８８は画像信号処理部の一例である。
【００７４】
画像処理部８５は、ＡＦＥ８８を通じて得られるデジタル画像データＩｄｘを入力データとして各種の画像処理を実行する。例えば、画像処理部８５は、周知のシェーディング補正処理および光量相当データから濃度相当データへの変換処理などの画像処理を実行する。
【００７５】
レーザー制御部８６は、画像処理部８５によって画像処理が施された後のデジタル画像データＩｄｙにおける各画素の濃度情報に従って光走査部５のレーザー光の強度を制御する。これにより、デジタル画像データＩｄｙに対応した静電潜像が感光体４１の表面に形成される。
【００７６】
信号インターフェイス８９は、ＭＰＵ８１、ＡＤＦ制御部およびイメージセンサー制御部８４と各種のセンサーとの間の信号の受け渡しを中継するインターフェイス回路である。
【００７７】
ところで、画像読取装置１において、原稿９０の両面の画像を読み取る機能を備えつつ部品点数およびコストを低減することが求められている。
【００７８】
本実施形態によれば、原稿９０の両面の画像を読み取る機能を備えつつ部品点数およびコストを低減できる画像読取装置１および画像形成装置１０を提供することができる。
【００７９】
従来の画像処理装置は、原稿９０の両面各々の画像を読み取るための２つのイメージセンサーを備える場合、２つの前記イメージセンサー各々に対応する２つのＡＦＥを備える。
【００８０】
一方、画像読取装置１においては、１つのＡＦＥ８８が、時分割で第１画像信号Ｉａ１の処理と第２画像信号Ｉａ２の処理とを実行する。即ち、１つのＡＦＥ８８が、第１画像信号Ｉａ１に対応する信号処理部と、第２画像信号Ｉａ２に対応する信号処理部とを兼ねる。
【００８１】
図４が示すように、画像読取装置１は、第１画像信号Ｉａ１および第２画像信号Ｉａ２のいずれか一方を選択的にＡＦＥ８８へ伝送する信号選択部８７を備える。さらに、イメージセンサー制御部８４が、選択信号出力部８４２をさらに備える。
【００８２】
選択信号出力部８４２は、第１画像信号Ｉａ１および第２画像信号Ｉａ２のいずれを選択するかを信号選択部８７に対して指示する選択信号Ｓｗを出力する。信号選択部８７は、選択信号Ｓｗに従って第１画像信号Ｉａ１および第２画像信号Ｉａ２のいずれか一方を選択してＡＦＥ８８へ伝送する。以下、信号選択部８７を通じてＡＦＥ８８へ伝送される画像信号を選択画像信号Ｉａｘと称する。
【００８３】
［搬送原稿読取処理］
次に、図５〜８を参照しつつ、画像読取装置１における前記搬送原稿読取処理の手順の一例について説明する。図５は、画像読取装置１における前記搬送原稿読取処理の手順の一例を示すフローチャートである。また、図６〜８は、画像読取装置１の前記搬送原稿読取処理における第１段階、第２段階および第３段階の各種信号の変化を示すタイムチャートである。図６〜８において、第１画像信号Ｉａ１、第２画像信号Ｉａ２および選択画像信号Ｉａｘの各々の状態を表すタイムチャートにおける「Ｒ」、「Ｇ」、「Ｂ」は、それぞれ赤色の画像信号、緑色の画像信号および青色の画像信号が出力されていることを示す。
【００８４】
不図示のセンサーが原稿供給トレイ１２１に原稿９０がセットされていることを検知している状態で、操作表示部８０に対して予め定められた開始操作がなされると、ＭＰＵ８１が前記搬送原稿読取処理を開始させる。以下の説明において、Ｓ１，Ｓ２，…は、制御部８が実行する各工程の識別符号を表す。
【００８５】
＜工程Ｓ１＞
前記搬送原稿読取処理において、まず、ＭＰＵ８１が、前記両面モードおよび前記片面モードのいずれが前記動作モードとして選択されているかを判定する。前記両面モードが選択されている場合、ＭＰＵ８１は処理を次の工程Ｓ２へ移行させる。また、前記片面モードが選択されている場合、ＭＰＵ８１は処理を後述する工程Ｓ１１へ移行させる。
【００８６】
＜工程Ｓ２，Ｓ３＞
前記両面モードが選択されている場合、ＭＰＵ８１が、速度設定プログラムＰｒ２を実行することにより、原稿９０の搬送速度を標準速度よりも低速に設定する（Ｓ２）。後述するように、前記標準速度は、前記片面モードが選択されている場合に設定される原稿９０の搬送速度である。例えば、工程Ｓ２において、原稿９０の搬送速度が、前記標準速度の二分の一の速度に設定される。なお、速度設定プログラムＰｒ２を実行するＭＰＵ８１は、原稿９０の搬送速度を前記標準速度よりも低速に設定する低速度設定部として機能する。
【００８７】
さらに、ＡＤＦ制御部８３は、原稿送出機構１２２に原稿９０の送り出し動作を実行させた上で、原稿搬送機構１２３による原稿９０の搬送を開始させる（Ｓ３）。工程Ｓ３における原稿搬送機構１２３による原稿９０の搬送速度は、工程Ｓ２で設定された速度である。
【００８８】
＜工程Ｓ４＞
続いて、イメージセンサー制御部８４が、第２原稿センサー１５ｂの検知信号の変化を監視し、原稿９０の先端が第２位置Ｐ２に到達したか否かを判定する。この判定処理は、前記第１期間の開始時点を検知する処理である。前述したように、前記第１期間は、原稿９０の先端が原稿搬送路Ｒ０におけ第２位置Ｐ２に到達してから第１位置Ｐ１に到達するまでの期間である。
【００８９】
＜工程Ｓ５，Ｓ６＞
前記第１期間において、イメージセンサー制御部８４の同期信号出力部８４１が、第２同期信号Ｇｓ２のみを予め定められた周期で連続して出力する（Ｓ５）。これにより、第２イメージセンサー１３ｂが、原稿９０の前記第２面における先端から中間位置までの領域の画像を読み取る処理を実行する（Ｓ５）。
【００９０】
イメージセンサー制御部８４は、工程Ｓ５の実行中に第１原稿センサー１５ａの検知信号の変化を随時監視し、原稿９０の先端が第１位置Ｐ１に到達したか否かを判定する（Ｓ６）。原稿９０の先端が第１位置Ｐ１に到達した時点は、前記第１期間の終了時点であるとともに、前記第２期間の開始時点である。
【００９１】
図６は、前記第１期間における各種信号のタイムチャートである。図６が示すように、前記第１期間においては、第１同期信号Ｇｓ１は出力されず、第２同期信号Ｇｓ２のみが予め定められた周期で出力される。
【００９２】
また、前記第１期間において、第２位置Ｐ２の第２イメージセンサー１３ｂが、第２同期信号Ｇｓ２に同期して原稿９０の前記第２面の画像を読み取るとともに読み取り画像に対応する第２画像信号Ｉａ２を出力する。
【００９３】
工程Ｓ５において、第２イメージセンサー１３ｂは、第２同期信号Ｇｓ２に同期して、前記１ライン分ずつ、かつ、予め定められたＲＧＢ３色のうちの１色ずつ原稿９０の前記第２面の画像を読み取る。
【００９４】
さらに、工程Ｓ５において、イメージセンサー制御部８４は、信号選択部８７に対して第２画像信号Ｉａ２を選択することを指示する選択信号Ｓｗを出力し続ける。これにより、それぞれ前記１ライン分の各色の画像に対応する第２画像信号Ｉａ２が、選択画像信号ＩａｘとしてＡＦＥ８８へ順次伝送される。
【００９５】
さらに、工程Ｓ５において、ＡＦＥ８８は、第２イメージセンサー１３ｂから順次出力される第２画像信号Ｉａ２各々に対して順次予め定められた信号処理を施す。
【００９６】
さらに、工程Ｓ５において、画像処理部８５は、ＡＦＥ８８から順次出力されるデジタル画像データＩｄｘに対して予め定められた前記画像処理を施す。
【００９７】
なお、図６〜８において、第１画像信号Ｉａ１を選択することを指示する選択信号ＳｗがＬｏｗ信号であり、第２画像信号Ｉａ２を選択することを指示する選択信号ＳｗがＨｉｇｈ信号である。
【００９８】
＜工程Ｓ７，Ｓ８＞
次に、前記両面モードが選択されているときの前記第１期間において、同期信号出力部８４１が、第１同期信号Ｇｓ１と第２同期信号Ｇｓ２とを予め定められた周期で交互に出力する（Ｓ７）。これにより、第１イメージセンサー１３ａが、原稿９０の前記第１画における先端から中間位置までの領域の画像を読み取る処理と、第２イメージセンサー１３ｂが、原稿９０の前記第２画における中間位置から後端までの領域の画像を読み取る処理とが交互に実行される（Ｓ７）。
【００９９】
イメージセンサー制御部８４は、工程Ｓ７の実行中に第２原稿センサー１５ｂの検知信号の変化を随時監視し、原稿９０の後端が第２位置Ｐ２を通過したか否かを判定する（Ｓ８）。原稿９０の後端が第２位置Ｐ２を通過した時点は、前記第２期間の終了時点であるとともに、前記第３期間の開始時点である。
【０１００】
図７は、前記第２期間における各種信号のタイムチャートである。図７が示すように、前記第２期間においては、予め定められた周期で第１同期信号Ｇｓ１と第２同期信号Ｇｓ２とが交互に出力される。
【０１０１】
また、前記第２期間において、第１位置Ｐ１の第１イメージセンサー１３ａが、第１同期信号Ｇｓ１に同期して原稿９０の前記第１面の画像を読み取るとともに読み取り画像に対応する第１画像信号Ｉａ１を出力する。
【０１０２】
さらに、前記第２期間において、第２位置Ｐ２の第２イメージセンサー１３ｂが、第２同期信号Ｇｓ２に同期して原稿９０の前記第２面の画像を読み取るとともに読み取り画像に対応する第２画像信号Ｉａ２を出力する。
【０１０３】
工程Ｓ７において、第１イメージセンサー１３ａは、第１同期信号Ｇｓ１に同期して、前記１ライン分ずつ、かつ、ＲＧＢ３色のうちの１色ずつ原稿９０の前記第１面の画像を読み取る。さらに、工程Ｓ７において、第２イメージセンサー１３ｂは、第２同期信号Ｇｓ２に同期して、前記１ライン分ずつ、かつ、ＲＧＢ３色のうちの１色ずつ原稿９０の前記第２面の画像を読み取る。
【０１０４】
さらに、工程Ｓ７において、イメージセンサー制御部８４は、信号選択部８７に対して第１画像信号Ｉａ１を選択することを指示する選択信号Ｓｗと第２画像信号Ｉａ２を選択することを指示する選択信号Ｓｗとを交互に出力する。
【０１０５】
より具体的には、第１イメージセンサー１３ａが第１同期信号Ｇｓ１に同期して第１画像信号Ｉａ１を出力している期間において、イメージセンサー制御部８４は、第１画像信号Ｉａ１を選択することを指示する選択信号Ｓｗを出力する。また、第２イメージセンサー１３ｂが第２同期信号Ｇｓ２に同期して第２画像信号Ｉａ２を出力している期間において、イメージセンサー制御部８４は、第２画像信号Ｉａ２を選択することを指示する選択信号Ｓｗを出力する。これにより、それぞれ前記１ライン分の各色の画像に対応する第１画像信号Ｉａ１と第２画像信号Ｉａ２とが、選択画像信号ＩａｘとしてＡＦＥ８８へ交互に伝送される。
【０１０６】
さらに、工程Ｓ７において、ＡＦＥ８８は、第１イメージセンサー１３ａおよび第２イメージセンサー１３ｂから交互に出力される第１画像信号Ｉａ１および第２画像信号Ｉａ２の各々に対して順次予め定められた信号処理を施す。ＡＦＥ８８は画像信号処理部の一例である。
【０１０７】
さらに、工程Ｓ７において、画像処理部８５は、ＡＦＥ８８から順次出力されるデジタル画像データＩｄｘに対して予め定められた前記画像処理を施す。
【０１０８】
なお、工程Ｓ７は、原稿９０が第１位置Ｐ１と第２位置Ｐ２とに亘る状態で移動しているときに、同期信号出力部８４１が第１同期信号Ｇｓ１と第２同期信号Ｇｓ２とを交互に出力する工程の一例である。
【０１０９】
さらに、工程Ｓ７は、第１イメージセンサー１３ａが、第１位置Ｐ１において原稿９０の前記第１面の画像を読み取るとともに読み取り画像に対応する第１画像信号Ｉｎ１を出力する工程の一例でもある。
【０１１０】
さらに、工程Ｓ７は、第２イメージセンサー１３ｂが、第２位置Ｐ２において第２同期信号Ｇｓ２に同期して原稿９０の前記第２面の画像を読み取るとともに読み取り画像に対応する第２画像信号Ｉａ２を出力する工程の一例でもある。
【０１１１】
さらに、工程Ｓ７は、ＡＦＥ８８が、第１イメージセンサー１３ａおよび第２イメージセンサー１３ｂから交互に出力される第１画像信号Ｉａ１および第２画像信号Ｉａ２に対して順次予め定められた信号処理を施す工程の一例でもある。
【０１１２】
＜工程Ｓ９，Ｓ１０＞
前記第３期間において、イメージセンサー制御部８４の同期信号出力部８４１が、第１同期信号Ｇｓ１のみを予め定められた周期で連続して出力する（Ｓ９）。これにより、第１イメージセンサー１３ａが、原稿９０の前記第１面における前記中間位置から後端までの領域の画像を読み取る処理を実行する（Ｓ９）。
【０１１３】
イメージセンサー制御部８４は、工程Ｓ９の実行中に第１原稿センサー１５ａの検知信号の変化を随時監視し、原稿９０の後端が第１位置Ｐ１を通過したか否かを判定する（Ｓ１０）。原稿９０の後端が第１位置Ｐ１を通過した時点は、前記第３期間の終了時点である。
【０１１４】
図８は、前記第３期間における各種信号のタイムチャートである。図８が示すように、前記第３期間においては、第２同期信号Ｇｓ２は出力されず、第１同期信号Ｇｓ１のみが予め定められた周期で出力される。
【０１１５】
また、前記第３期間において、第１位置Ｐ１の第１イメージセンサー１３ａが、第１同期信号Ｇｓ１に同期して原稿９０の前記第１面の画像を読み取るとともに読み取り画像に対応する第１画像信号Ｉａ１を出力する。
【０１１６】
工程Ｓ９において、第１イメージセンサー１３ａは、第１同期信号Ｇｓ１に同期して、前記１ライン分ずつ、かつ、予め定められたＲＧＢ３色のうちの１色ずつ原稿９０の前記第１面の画像を読み取る。
【０１１７】
さらに、工程Ｓ９において、イメージセンサー制御部８４は、信号選択部８７に対して第１画像信号Ｉａ１を選択することを指示する選択信号Ｓｗを出力し続ける。これにより、それぞれ前記１ライン分の各色の画像に対応する第１画像信号Ｉａ１が、選択画像信号ＩａｘとしてＡＦＥ８８へ順次伝送される。
【０１１８】
前記第１イメージセンサーおよび前記第２イメージセンサーから交互に出力される前記第１画像信号および前記第２画像信号に対して順次予め定められた信号処理を施す
【０１１９】
さらに、工程Ｓ９において、ＡＦＥ８８は、第１イメージセンサー１３ａから順次出力される第１画像信号Ｉａ１各々に対して順次予め定められた信号処理を施す。
【０１２０】
さらに、工程Ｓ９において、画像処理部８５は、ＡＦＥ８８から順次出力されるデジタル画像データＩｄｘに対して予め定められた前記画像処理を施す。
【０１２１】
そして、原稿９０の後端が第１位置Ｐ１を通過したことが検知されると、前記搬送原稿読取処理が終了する。
【０１２２】
＜工程Ｓ１１，Ｓ１２＞
一方、前記片面モードが選択されている場合、ＭＰＵ８１が、速度設定プログラムＰｒ２を実行することにより、原稿９０の搬送速度を工程Ｓ２で設定される速度よりも速い前記標準速度に設定する（Ｓ１１）。さらに、ＡＤＦ制御部８３は、原稿送出機構１２２に原稿９０の送り出し動作を実行させた上で、原稿搬送機構１２３による原稿９０の搬送を開始させる（Ｓ１２）。工程Ｓ１２における原稿搬送機構１２３による原稿９０の搬送速度は、工程Ｓ１１で設定された前記標準速度である。なお、速度設定プログラムＰｒ２を実行するＭＰＵ８１は、原稿９０の搬送速度を前記標準速度に設定する標準速度設定部として機能する。
【０１２３】
＜工程Ｓ１３＞
続いて、イメージセンサー制御部８４が、第１原稿センサー１５ａの検知信号の変化を監視し、原稿９０の先端が第１位置Ｐ１に到達したか否かを判定する。この判定処理は、前記第２期間の開始時点を検知する処理である。
【０１２４】
＜工程Ｓ１４，Ｓ１５＞
前記第２期間の開始時点から前記第３期間の終了時点までの期間において、同期信号出力部８４１が、第１同期信号Ｇｓ１のみを予め定められた周期で連続して出力する（Ｓ１４）。これにより、第１イメージセンサー１３ａが、原稿９０の前記第１面における先端から後端までの領域の画像を読み取る処理を実行する（Ｓ１４）。
【０１２５】
イメージセンサー制御部８４は、工程Ｓ１４の実行中に第１原稿センサー１５ａの検知信号の変化を随時監視し、原稿９０の後端が第１位置Ｐ１を通過したか否かを判定する（Ｓ１５）。原稿９０の後端が第１位置Ｐ１を通過した時点は、前記第３期間の終了時点である。
【０１２６】
工程Ｓ１４において、第１同期信号Ｇｓ１、第１画像信号Ｉａ１、選択信号Ｓｗおよび選択画像信号Ｉａｘの状態は、図８が示すタイムチャートと同様に推移する。但し、工程Ｓ１４における第１同期信号Ｇｓ１の出力周期および選択信号Ｓｗの変化周期は、工程Ｓ９におけるそれらの周期よりも短い。
【０１２７】
より具体的には、工程Ｓ９と工程Ｓ１４とにおける第１同期信号Ｇｓ１の出力周期の比は、工程Ｓ２と工程Ｓ１１とにおいて設定される原稿９０の搬送速度の比に対して反比例の関係にある。
【０１２８】
また、工程Ｓ１４において、第１位置Ｐ１の第１イメージセンサー１３ａが、第１同期信号Ｇｓ１に同期して原稿９０の前記第１面の画像を読み取るとともに読み取り画像に対応する第１画像信号Ｉａ１を出力する。
【０１２９】
工程Ｓ１４において、第１イメージセンサー１３ａは、第１同期信号Ｇｓ１に同期して、前記１ライン分ずつ、かつ、予め定められたＲＧＢ３色のうちの１色ずつ原稿９０の前記第１面の画像を読み取る。
【０１３０】
さらに、工程Ｓ１４において、イメージセンサー制御部８４は、信号選択部８７に対して第１画像信号Ｉａ１を選択することを指示する選択信号Ｓｗを出力し続ける。これにより、それぞれ前記１ライン分の各色の画像に対応する第１画像信号Ｉａ１が、選択画像信号ＩａｘとしてＡＦＥ８８へ順次伝送される。
【０１３１】
さらに、工程Ｓ１４において、ＡＦＥ８８は、第１イメージセンサー１３ａから順次出力される第１画像信号Ｉａ１各々に対して順次予め定められた信号処理を施す。
【０１３２】
さらに、工程Ｓ１４において、画像処理部８５は、ＡＦＥ８８から順次出力されるデジタル画像データＩｄｘに対して予め定められた前記画像処理を施す。
【０１３３】
そして、原稿９０の後端が第１位置Ｐ１を通過したことが検知されると、前記搬送原稿読取処理が終了する。
【０１３４】
画像読取装置１において、前記両面モードが選択されている場合、第１イメージセンサー１３ａおよび第２イメージセンサー１３ｂが交互に動作し、ＡＦＥ８８が時分割で第１画像信号Ｉａ１および第２画像信号Ｉａ２を処理する。
【０１３５】
従って、画像読取装置１は、従来に比べてＡＦＥが少ない構成で、原稿９０の両面の画像を読み取る機能を実現する。その結果、部品点数およびコストを低減することができる。
【０１３６】
さらに、本実施形態においては、画像処理部８５も、第１画像信号Ｉａ１および第２画像信号Ｉａ２各々に対応するデジタル画像データＩｄｘの処理に兼用される。そのため、画像処理部８５に関する部品点数およびコストも低減される。
【０１３７】
また、原稿搬送機構１２３は、前記片面モードが選択されている場合よりも前記両面モードが選択されている場合の方が低速で原稿９０を搬送する（Ｓ３，Ｓ１２）。そのため、前記片面モードにおいて必要十分な処理能力を備えるＡＦＥ８８および画像処理部８５を、前記片面モードと前記両面モードとの両方において共用することができる。
【０１３８】
また、前記両面モードにおいて、第１イメージセンサー１３ａおよび第２イメージセンサー１３ｂの各々は、第１同期信号Ｇｓ１および第２同期信号Ｇｓ２の各々に同期して、主走査方向Ｄ１に沿う前記１ライン分ずつ原稿９０の画像を読み取る（Ｓ５，Ｓ７，Ｓ９）。そのため、ＡＦＥ８８へ伝送される画像信号を切り替える周期が過度に短い周期になることが回避される。
【０１３９】
また、一般に、ＡＦＥ８８による前記Ａ／Ｄ変換処理などの前記信号処理は、原稿９０の両面各々の画像の読み取り、および、前記１ライン分ごとの画像の読み取りにおいて共通の処理である。そのため、第１画像信号Ｉａ１および第２画像信号Ｉａ２各々の処理を兼ねる画像信号処理部として特に適している。
【０１４０】
[応用例]
以上に示された実施形態において、原稿搬送機構１２３が、前記第１期間および前記第３期間において前記標準速度で原稿９０を搬送し、前記第２期間において前記標準速度よりも低速で原稿９０を搬送することも考えられる。
【０１４１】
なお、本発明に係る画像読取装置、画像形成装置および画像読取方法は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１４２】
１        ：画像読取装置
２        ：本体部
３        ：シート搬送部
４        ：画像形成部
５        ：光走査部
６        ：定着部
８        ：制御部
９        ：記録シート
１０      ：画像形成装置
１１      ：原稿走査ユニット
１２      ：原稿台カバー
１３ａ    ：第１イメージセンサー
１３ｂ    ：第２イメージセンサー
１４ａ    ：第１色基準部
１４ｂ    ：第２色基準部
１５ａ    ：第１原稿センサー
１５ｂ    ：第２原稿センサー
１６      ：原稿台
１６ａ    ：第１コンタクト部
１６ｂ    ：第２コンタクト部
３０      ：シート供給部
３１      ：シート送出機構
３２      ：シート搬送機構
４１      ：感光体
４２      ：帯電装置
４３      ：現像装置
４５      ：転写装置
４７      ：クリーニング装置
６１      ：加熱ローラー
６２      ：加圧ローラー
８０      ：操作表示部
８１      ：ＭＰＵ
８２      ：記憶部
８３      ：ＡＤＦ制御部
８４      ：イメージセンサー制御部
８５      ：画像処理部
８６      ：レーザー制御部
８７      ：信号選択部
８９      ：信号インターフェイス
９０      ：原稿
１０１    ：シート排出トレイ
１１０    ：走査機構
１２１    ：原稿供給トレイ
１２２    ：原稿送出機構
１２３    ：原稿搬送機構
１２４    ：原稿排出トレイ
１３１    ：発光部
１３１Ｂ  ：青発光部
１３１Ｇ  ：緑発光部
１３１Ｒ  ：赤発光部
１３２    ：レンズ
１３３    ：光電変換素子アレイ
３００    ：シート搬送路
８４１    ：同期信号出力部
８４２    ：選択信号出力部
Ｄ１      ：主走査方向
Ｄ２      ：副走査方向
Ｇｓ１    ：第１同期信号
Ｇｓ２    ：第２同期信号
Ｉａ１    ：第１画像信号
Ｉａ２    ：第２画像信号
Ｉａｘ    ：選択画像信号
Ｉｄｘ，Ｉｄｙ：デジタル画像データ
Ｉｎ１    ：第１画像信号
Ｐ１      ：第１位置
Ｐ２      ：第２位置
Ｐｒ１    ：モード選択プログラム
Ｐｒ２    ：速度設定プログラム
Ｒ０      ：原稿搬送路
Ｓｗ      ：選択信号
【図１】
2016100823.tif 000003
【図２】
2016100823.tif 000004
【図３】
2016100823.tif 000005
【図４】
2016100823.tif 000006
【図５】
2016100823.tif 000007
【図６】
2016100823.tif 000008
【図７】
2016100823.tif 000009
【図８】
2016100823.tif 000010